【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
赤外（ＩＲ）光の透過を遮断するのに有用な多層中間層であって、
（１）少なくとも２枚の熱可塑性ポリマーシートと、
（２）前記熱可塑性ポリマーシート間に配置されたフィルムであって、前記フィルムがその表面のそれぞれで、前記シートと直接接触するように配置されたフィルムと、
を含み、
前記フィルムは、ＩＲ光を反射または吸収することができ、
前記熱可塑性ポリマーシートは、無可塑性であることを特徴とする多層中間層。
【請求項２】
赤外（ＩＲ）光の透過を遮断するのに有用な多層中間層であって、
（１）少なくとも２枚の熱可塑性ポリマーシートと、
（２）前記熱可塑性ポリマーシート間に配置されたフィルムであって、前記フィルムがその表面のそれぞれで、前記シートと直接接触するように配置されたフィルムと、
を含み、
前記フィルムは、ＩＲ光を反射または吸収することができ、
前記熱可塑性ポリマーシートは、無可塑性エチレン／不飽和酸コポリマーアイオノマーを含むことを特徴とする多層中間層。
【請求項３】
ＩＲ光の透過を遮断するのに有用な、多層中間層を含むガラス積層物であって、
前記多層中間層が、
（１）少なくとも２枚の熱可塑性ポリマーシートと、
（２）前記可塑性ポリマーシート間に配置されたフィルムであって、前記フィルムがその表面のそれぞれで、前記シートと直接接触するように配置されたフィルムと、
を含み、
前記フィルムがＩＲ光を反射または吸収することができ、
前記熱可塑性ポリマーシートが可塑剤を含まないことを特徴とするガラス積層物。
【請求項４】
ＩＲ光の透過を遮断するのに有用な、多層中間層を含むガラス積層物であって、
前記多層中間層が、
（１）少なくとも２枚の熱可塑性ポリマーシートと、
（２）前記可塑性ポリマーシート間に配置されたフィルムであって、前記フィルムがその表面のそれぞれで、シートと直接接触するように配置されたフィルムと、
を含み、
前記フィルムがＩＲ光を反射または吸収することができ、
前記熱可塑性ポリマーシートが、エチレンと不飽和酸との無可塑性コポリマーを含み、前記コポリマーの酸基が少なくとも部分中和されて、エチレン／不飽和コポリマーアイオノマーが生じていることを特徴とするガラス積層物。
【請求項５】
本発明の多層積層物品の製造方法であって、
（１）層を積層する（ａｓｓｅｍｂｌｉｎｇ）前に下塗剤溶液を塗布することによって、積層物の複数の層の少なくとも１層を下塗りする工程と、
（２）前記積層物品用の構成要素層として使用するべき少なくとも３層を積層する工程であって、少なくとも１層が、ＩＲ遮断フィルムであり、前記層のうちの少なくとも２つが無可塑性熱可塑性ポリマーシートである工程と、
（３）前記ＩＲ遮断フィルムを、その主表面が前記無可塑性ポリマーシートと接触しているように配置する工程と、
（４）前記積層した層を少なくとも１２０℃の温度、大気圧より高い圧力で加熱することによって、少なくとも３層を積層する工程と、
を含むことを特徴とする方法。
【手続補正２】
【補正対象書類名】明細書
【補正対象項目名】００１９
【補正方法】変更
【補正の内容】
【００１９】
驚くべき展開としては、剥離強さを最大にするために、ＩＲ遮断フィルム層しか下塗りをしないことが好ましい場合がある。好ましい下塗剤は、シラン化合物またはその溶液である。アミノシラン化合物が下塗剤としてより好ましい。シラン下塗剤は、メタノール、エタノール、ｎ−プロピルアルコール、ｉ−プロピルアルコール、水、これらの任意の混合物、および／またはシラン下塗剤の溶解に適した他の溶媒などの溶媒の溶液として使用することができる。通常の任意の方法によって、下塗剤をＩＲ遮断積層物の構成要素層のいずれかに塗布することができる。下塗剤をＩＲ遮断積層物の１層に塗布することが好ましい場合があり、下塗剤を直接ＩＲ遮断フィルムに塗布することがより好ましい。ある場合には、下塗剤を塗布した後、本明細書で上記に記載した積層プロセスを始める前に、下塗付き層を周囲温度で乾燥させることが好ましい場合がある。
以下に本明細書に記載の発明につき列記する。
１．  赤外（ＩＲ）光の透過を遮断するのに有用な多層中間層であって、
（１）少なくとも２枚の熱可塑性ポリマーシートと、
（２）前記熱可塑性ポリマーシート間に配置されたフィルムであって、前記フィルムがその表面のそれぞれで、前記シートと直接接触するように配置されたフィルムと、
を含み、
前記フィルムは、ＩＲ光を反射または吸収することができ、
前記熱可塑性ポリマーシートは、無可塑性であることを特徴とする多層中間層。
２．  赤外（ＩＲ）光の透過を遮断するのに有用な多層中間層であって、
（１）少なくとも２枚の熱可塑性ポリマーシートと、
（２）前記熱可塑性ポリマーシート間に配置されたフィルムであって、前記フィルムがその表面のそれぞれで、前記シートと直接接触するように配置されたフィルムと、
を含み、
前記フィルムは、ＩＲ光を反射または吸収することができ、
前記熱可塑性ポリマーシートは、無可塑性エチレン／不飽和酸コポリマーアイオノマーを含むことを特徴とする多層中間層。
３．  ＩＲ光の透過を遮断するのに有用な、多層中間層を含むガラス積層物であって、
前記多層中間層が、
（１）少なくとも２枚の熱可塑性ポリマーシートと、
（２）前記可塑性ポリマーシート間に配置されたフィルムであって、前記フィルムがその表面のそれぞれで、前記シートと直接接触するように配置されたフィルムと、
を含み、
前記フィルムがＩＲ光を反射または吸収することができ、
前記熱可塑性ポリマーシートが可塑剤を含まないことを特徴とするガラス積層物。
４．  ＩＲ光の透過を遮断するのに有用な、多層中間層を含むガラス積層物であって、
前記多層中間層が、
（１）少なくとも２枚の熱可塑性ポリマーシートと、
（２）前記可塑性ポリマーシート間に配置されたフィルムであって、前記フィルムがその表面のそれぞれで、シートと直接接触するように配置されたフィルムと、
を含み、
前記フィルムがＩＲ光を反射または吸収することができ、
前記熱可塑性ポリマーシートが、エチレンと不飽和酸との無可塑性コポリマーを含み、前記コポリマーの酸基が少なくとも部分中和されて、エチレン／不飽和コポリマーアイオノマーが生じていることを特徴とするガラス積層物。
５．  本発明の多層積層物品の製造方法であって、
（１）層を積層する（ａｓｓｅｍｂｌｉｎｇ）前に下塗剤溶液を塗布することによって、積層物の複数の層の少なくとも１層を下塗りする工程と、
（２）前記積層物品用の構成要素層として使用するべき少なくとも３層を積層する工程であって、少なくとも１層が、ＩＲ遮断フィルムであり、前記層のうちの少なくとも２つが無可塑性熱可塑性ポリマーシートである工程と、
（３）前記ＩＲ遮断フィルムを、その主表面が前記無可塑性ポリマーシートと接触しているように配置する工程と、
（４）前記積層した層を少なくとも１２０℃の温度、大気圧より高い圧力で加熱することによって、少なくとも３層を積層する工程と、
を含むことを特徴とする方法。
６．  前記下塗り溶液がシラン化合物を含むことを特徴とする前記５．に記載の方法。
７．  前記シラン化合物が、γ−アミノプロピルトリエトキシシラン、またはＮ−（２−アミノエチル）−３−アミノプロピルトリメトキシシラン、または類似の加水分解可能なアミノシランなどのアミノシランであることを特徴とする前記６．に記載の方法。